(57)【要約】【課題】入浴者が枕部に頭を載せて脱力した状態においても、入浴者の背中が自然と浴槽の背凭れ部とフィットし、肩に着水した後の湯が入浴者の前側と後ろ側の両側に広がりやすくできる浴槽装置を提供する。【解決手段】本発明は、浴槽であって、入浴姿勢にある入浴者が背中を当接可能な背凭れ部と、背凭れ部の上方に配置され、入浴姿勢にある入浴者が頭を載置可能な枕部と、背凭れ部と枕部の間に配置され、入浴姿勢にある入浴者の肩に向けて吐水する吐水口と、を備え、背凭れ部は、鉛直面に対して第１傾斜角度で浴槽の内方側に向かって下降傾斜しており、枕部は、鉛直面に対して第１傾斜角度より大きい第２傾斜角度で浴槽の内方側に向かって下降傾斜した下降傾斜面であって、当該下降傾斜面を仮想的に下方に延伸させた仮想延伸面が背凭れ部に対して段差なく接続されるよう凸状の曲面を呈するよう形成されている。【選択図】図１３
2019170463.tif 000002
【特許請求の範囲】
【請求項１】
浴槽であって、
入浴姿勢にある入浴者が背中を当接可能な背凭れ部と、
前記背凭れ部の上方に配置されたリム部と、
前記リム部の上方に配置され、入浴姿勢にある入浴者が頭を載置可能な枕部と、
前記リム部と前記枕部の間に配置され、入浴姿勢にある入浴者の肩に向けて吐水する吐水口と、を備え、
前記背凭れ部は、鉛直面に対して第１傾斜角度で前記浴槽の内方側に向かって下降傾斜しており、
前記枕部は、鉛直面に対して前記第１傾斜角度より大きい第２傾斜角度で前記浴槽の内方側に向かって下降傾斜した下降傾斜面であって、当該下降傾斜面は、当該下降傾斜面を仮想的に下方に延伸させた仮想延伸面が前記背凭れ部に対して段差なく接続されるよう凸状の曲面を呈するよう形成されていることを特徴とする浴槽装置。
【請求項２】
前記背凭れ部は、前記背凭れ部と直交する鉛直断面において凹状の曲面を呈するよう形成されていることを特徴とする請求項１記載の浴槽装置。
【請求項３】
前記背凭れ部は、水平断面において、幅方向における中央部分が前記浴槽の外方位置となり、幅方向における両端部分が前記浴槽の内方位置となるよう凹状の曲面を呈するよう形成されていることを特徴とする請求項２記載の浴槽装置。
【発明の詳細な説明】
【技術分野】
【０００１】
本発明は、浴槽に係り、特に、入浴者が頭を載置可能な枕部と、入浴者の肩に向けて吐水する吐水口を備えた浴槽装置に関する。
【背景技術】
【０００２】
特許文献１には、浴槽の上部に、入浴者の頭を載せる枕部と入浴者の肩に浴槽水を吐水する吐水装置を備えた浴槽装置が開示されている。この浴槽装置によれば、入浴者は上面が水平および水平に近い傾斜角度で形成された枕部に頭を載せてリラックスした姿勢で、浴槽内の湯に浸かっていない肩に浴槽水をかけて、上半身を温めることができる。
【先行技術文献】
【特許文献】
【０００３】
【特許文献１】特開２０１６−８４２８号公報
【発明の概要】
【発明が解決しようとする課題】
【０００４】
本発明者らは、入浴者が枕部に頭を載せてリラックスした姿勢における上半身の温まり感を更に向上させるために、肩に着水した後の湯の広がり方に着目した。具体的には、肩に着水した後の湯が、入浴者の前側（胸側）と後ろ側（背側）の両側に広がるようにすることで、浴槽内の湯に浸かっていない上半身の全体を温めることが有効である、との知見を見出した。
【０００５】
肩に着水した後の湯が、入浴者の前側と後ろ側の両側に広がるようにするためには、入浴者の姿勢（側面視における上半身の傾斜角度）が重要となるが、入浴姿勢は人によって異なるため、本発明者らは入浴姿勢を所望の姿勢に規定するために、浴槽の背凭れ部の形状に着目した。具体的には、入浴者の背中を浴槽の背凭れ部にフィットさせるようにすることで、入浴者の姿勢を所望の姿勢に規定できる、との知見を見出した。
【０００６】
しかしながら、特許文献１のような枕部材を設けた場合、頭を載せる枕部の形状が水平または水平および水平に近い傾斜角度で形成されているため、枕部によって入浴者の姿勢が規定されてしまい、リラックスするために入浴者が脱力すると、自然と入浴者の背中が浴槽の背凭れ部から離れてしまい、入浴姿勢が所望の姿勢にならない、という新たな課題が発生した。
【０００７】
本発明は、上述した課題に鑑み、入浴者が枕部に頭を載せて脱力した状態においても、入浴者の背中が自然と浴槽の背凭れ部とフィットし、肩に着水した後の湯が入浴者の前側と後ろ側の両側に広がりやすくできる浴槽装置を提供することを目的とする。
【課題を解決するための手段】
【０００８】
上記目的を達成するために、本発明は、浴槽であって、入浴姿勢にある入浴者が背中を当接可能な背凭れ部と、前記背凭れ部の上方に配置されたリム部と、前記リム部の上方に配置され、入浴姿勢にある入浴者が頭を載置可能な枕部と、前記リム部と前記枕部の間に配置され、入浴姿勢にある入浴者の肩に向けて吐水する吐水口と、を備え、前記背凭れ部は、鉛直面に対して第１傾斜角度で前記浴槽の内方側に向かって下降傾斜しており、前記枕部は、鉛直面に対して前記第１傾斜角度より大きい第２傾斜角度で前記浴槽の内方側に向かって下降傾斜した下降傾斜面であって、当該下降傾斜面は、当該下降傾斜面を仮想的に下方に延伸させた仮想延伸面が前記背凭れ部に対して段差なく接続されるよう凸状の曲面を呈するよう形成されていることを特徴としている。
【０００９】
このように構成された本発明によれば、枕部の傾斜角度を鉛直面に対して大きく形成しているため、入浴者は枕部に頭をしっかり載せることができ、寝浴のようなリラックス感を得ることができる。また、入浴者の肩に向けて吐水する吐水口を備えているため、入浴者は枕部に頭を載せてリラックスした姿勢で、浴槽内の湯に浸かっていない上半身を温めることができる。また、枕部の仮想延伸面を背凭れ部に対して段差なく接続しているため、入浴者が枕部に頭を載せて脱力した状態においても、入浴者の背中を自然と浴槽の背凭れ部にフィットさせることができ、肩に着水した後の吐水が入浴者の前側と後ろ側の両側に広がりやすい入浴姿勢に規定することができる。以上の通り、本発明によれば、リラックス感と上半身全体の温まり感を両立することができる。
【００１０】
本発明において好ましくは、背凭れ部は、背凭れ部と直交する鉛直断面において凹状の曲面を呈するよう形成されている。
【００１１】
このように構成された本発明によれば、背凭れ部を鉛直断面において凹状に形成することで、入浴者の湾曲している背骨が点状ではなく面状に当接しやすくなるため、入浴者が背中を背凭れ部７に当てた際に痛みを感じにくくすることができる。すなわち、入浴者が背中を背凭れ部にフィットさせた際に、入浴者の肩甲骨に集中荷重がかかり痛みを感じることを防止できる。これにより、入浴者が背凭れ部に肩甲骨が当たらないように、背中を背凭れ部から意識的に離して所望の入浴姿勢から外れることを防止できる。
【００１２】
本発明において好ましくは、前記背凭れ部は、水平断面において、幅方向における中央部分が前記浴槽の外方位置となり、幅方向における両端部分が前記浴槽の内方位置となるよう凹状の曲面を呈するよう形成されている。
【００１３】
このように構成された本発明によれば、背凭れ部を水平断面において凹状に形成することで、浴槽の背凭れ部が入浴者の背中の形に合った形状となるため、入浴者の背中を背凭れ部によりフィットさせることができる。これにより、入浴者の入浴姿勢をより所望の姿勢に規定することができる。
【発明の効果】
【００１４】
本発明の浴槽によれば、浴者が枕部に頭を載せて脱力した状態においても、入浴者の背中が自然と浴槽の背凭れ部とフィットし、肩に着水した後の湯が入浴者の前側と後ろ側の両側に広がりやすくできる浴槽装置を提供することできる。
【図面の簡単な説明】
【００１５】
【図１】本発明の実施形態による浴槽用吐水装置が適用される浴槽装置を示す概略斜視図である。
【図２】図１の上面図である。
【図３】図２のＩＩＩ−ＩＩＩ線に沿って見た概略断面図である。
【図４】図１の側面図である。
【図５】図３に示す本発明の実施形態による浴槽用吐水装置を拡大して紙面の左右を反転した状態で示す部分拡大断面図である。
【図６】図３のＶＩ−ＶＩ線に沿って見た断面図である。
【図７】図６のＶＩＩ−ＶＩＩ線に沿って見た断面図である。
【図８】図５のＶＩＩＩ−ＶＩＩＩ線に沿って見た断面図である。
【図９】本発明の実施形態による浴槽用吐水装置を正面から見た正面図である。
【図１０】本発明の実施形態による浴槽用吐水装置の貯留室に流入した水が、傾斜部及び絞り流路を通って吐水口部から吐水される様子を示す図である。
【図１１】本発明の実施形態による浴槽用吐水装置が設けられた浴槽内に座っている使用者に対し、吐水口部からの吐水が行われている様子を示す斜視図である。
【図１２】本発明の実施形態による枕部を示す断面図である。
【図１３】本発明の実施形態による浴槽装置に入浴している入浴者を示す概略断面図である。
【図１４】本発明の比較例である浴槽装置に入浴している入浴者を示す概略断面図である。
【発明を実施するための形態】
【００１６】
次に、添付図面を参照して本発明の実施形態による浴槽用吐水装置が適用される浴槽装置を説明する。
図１は本発明の実施形態による浴槽用吐水装置が適用される浴槽装置を示す概略斜視図であり、図２は図１の上面図であり、図３は図２のＩＩＩ−ＩＩＩ線に沿って見た概略断面図であり、図４は図１の側面図である。
【００１７】
図１及び図２に示すように、本発明の一実施形態による浴槽用吐水装置（浴槽水循環型吐水装置）１が適用される浴槽装置３は、浴槽２と、使用者Ｈが操作部３０（後述）を操作することによって、浴槽２内へ湯水を供給させる給水部１０と、を備える。浴槽用吐水装置１は、浴槽２に設置されている。浴槽２は、給水部１０から供給された水（湯を含む）を貯留する。なお、本実施形態において、浴槽用吐水装置１の後述する吐水部５の吐水口部（吐水口）４が設けられる側を前方向、これと反対側の貯留室３６が設けられる側を後方向、吐水口部４を正面から見た状態で右側を右方向、左側を左方向という。給水部１０が浴槽２内へ供給する水の温度は、使用者Ｈが操作部３０（後述）を操作することによって、設定される。
【００１８】
浴槽２は、底部２ａと、使用者Ｈの背中が接する短辺側の縦壁２ｂと、浴槽２の長辺側の側壁２ｄと、縦壁２ｂの上部と接続され且つ浴槽２の上面を形成する上端部（リム部）２ｃとを備えている。縦壁２ｂの一方側（浴槽用吐水装置１が設置されている側）は、入浴姿勢にある入浴者が背中を当接可能な背凭れ部７である。背凭れ部７は、鉛直面に対して第１傾斜角度、例えば２０度の傾斜角度で浴槽２の内方側に向かって下降傾斜している（図１３参照）。なお、この第１傾斜角度は、背凭れ部７の上端（上端部２ｃと背凭れ部７とが交わる位置）と下端（底部２ａと背凭れ部７とが交わる位置）とを結んだ仮想線の角度である。上端部２ｃは、浴槽内に座っている使用者Ｈの上半身、例えば頭部、首部、又は肩部に比較的近い高さとして設定されている。側壁２ｄには第１取水口６及び第２取水口２２が形成されている。吐水口部４は、背凭れ部の上方には、入浴姿勢にある入浴者が頭を載置可能な枕部８が配置されている。背凭れ部７と枕部８の間に配置されており、入浴姿勢にある入浴者の肩に向けて吐水するものである。
浴槽２は、浴槽２の壁面の上部を水平方向で弧状に形成したいわゆるラウンドタイプの浴槽である。なお、浴槽２は、浴槽２の壁面の上部を水平方向で円弧状に形成したいわゆるクレイドルタイプの浴槽、円形の浴槽、又は縦壁２ｂが長辺を形成するようなワイドタイプの浴槽であってもよい。
【００１９】
図３に示すように、浴槽用吐水装置１は、供給管から供給される水を浴槽２内に吐水させる。浴槽用吐水装置１は、浴槽２の上端部２ｃの内側縁部分に配置されている。浴槽用吐水装置１には、水を浴槽２内に向けて水平向き且つ帯状に吐水させる吐水部５の吐水口部４が形成されている。
【００２０】
図３及び図４に示すように、浴槽装置３は、さらに、第１取水口６から延びる第１流路８と、第１流路８上に設けられ且つ浴槽２内の水を吸引して下流側に圧送するポンプ（供給部）１０と、第１流路８の下流端で水の流れを制御する三方弁１２と、三方弁１２から吐水口部４側に延びる第２流路１４と、三方弁１２から第２流路１４と別に延びる第３流路１６と、第３流路１６から供給された水を浴槽２内にブロー吐水するブロー吐水部１８と、第２流路１４の下流部分に設けられるジェットポンプユニット２０と、第２取水口２２からジェットポンプユニット２０まで延びる第４流路２４と、ジェットポンプユニット２０から垂直上方に延びる上昇管２６と、ポンプ１０及び三方弁１２を制御する制御部２８と、浴槽２内の水の温度を検出する湯温センサ（検出部）９と、使用者Ｈが操作する操作部３０と、を備えている。検出部９は、制御部２８により制御されるようになっている。なお、この検出部９は、浴槽２の内壁において、吐水装置１が設置されている壁面側ではなく、第１取水口６又は第２取水口２２が形成されている壁面側に形成されていることが、より好ましい。
【００２１】
ポンプ１０は、制御部２８と電気的に接続され、制御部２８により駆動制御されるようになっている。
【００２２】
三方弁１２は、第１流路８から供給される水を、第２流路１４、及び第３流路１６のうちの両方又はいずれか一方に選択的に供給することができる。三方弁１２は、流量の分配割合を自由に変更することができる。三方弁１２は、制御部２８と電気的に接続され、制御部２８により電気的に開閉制御されるようになっている。第２流路１４は、三方弁１２からジェットポンプユニット２０まで延びる流路を形成している。
【００２３】
制御部２８は、浴室の壁面（図示せず）の裏側に取付けられている。制御部２８は、ポンプ１０、三方弁１２、操作部３０等と、電気的に接続され、上述の各部分を操作できるようになっている。制御部２８は、操作部３０からの操作信号を受けて又は記憶されたプログラム等に従って各機器の制御を行う。制御部２８は、浴槽用吐水装置１を適切に制御することができるようなメモリ等の記憶装置（図示せず）及び演算装置（図示せず）を備えている。
【００２４】
操作部３０は、使用者Ｈが浴槽用吐水装置１のＯＮ、ＯＦＦを操作できるように設けられ、浴室内の壁面に取付けられている。使用者Ｈが操作部３０を操作した情報が電気信号により操作部３０から制御部２８に送られる。
【００２５】
ジェットポンプユニット２０は、ジェットポンプ作用により引き込まれる水が貯留されるチャンバー部３２と、第２流路１４の下流端に配置されたジェットノズル３４と、を備えている。浴槽用吐水装置１はジェットポンプユニット２０を採用することにより比較的小型のポンプ１０を使用して吐水口部４から大流量の肩湯吐水を行うことができる。
【００２６】
チャンバー部３２は、箱型の貯水室を形成し、第４流路２４の下流端がチャンバー部３２に接続されている。チャンバー部３２は、浴槽２と連通されている。チャンバー部３２の底部には、ジェットノズル３４が垂直上方に向けて取りつけられている。チャンバー部３２の上面においては、このジェットノズル３４と対向する位置に開口が形成され、この開口から上昇管２６が上方に延びている。
【００２７】
ジェットノズル３４は、ポンプ１０から供給された水をチャンバー部３２を通して上昇管２６内に向けて噴射する。ジェットノズル３４は、チャンバー部３２を通るように水を噴射するので、チャンバー部３２内から水を引き込むジェットポンプ作用を誘発させる。ジェットノズル３４は、その内部の流路の径を、ジェットノズル３４の上流側の第２流路１４の径よりも絞るように形成されている。従って、ポンプ１０により圧送された水は、ジェットノズル３４内でさらに加速され、ジェットノズル３４から高速の水流として噴出される。ジェットノズル３４から噴射された高速の噴流は、チャンバー部３２内の水を引き込むことによりその流量が増大され且つ流速が減少する。
上昇管２６は、チャンバー部３２から垂直上方に延びる円管状の流路を形成している。
【００２８】
次に、図５乃至図９を参照して、浴槽用吐水装置１について説明する。
図５は図３に示す本発明の実施形態による浴槽用吐水装置を拡大して紙面の左右を反転した状態で示す部分拡大断面図であり、図６は図３のＶＩ−ＶＩ線に沿って見た断面図であり、図７は図６のＶＩＩ−ＶＩＩ線に沿って見た断面図であり、図８は図５のＶＩＩＩ−ＶＩＩＩ線に沿って見た断面図であり、図９は本発明の実施形態による浴槽用吐水装置を正面から見た正面図である。
【００２９】
浴槽用吐水装置１は、上昇管２６から流入した水を、一時的に貯留するとともに自身の内部に広げる貯留室３６と、貯留室３６と絞り流路３８との間に設けられる傾斜部４２と、左右方向に延びる幅広形状に形成された吐水部５の吐水口部４と、貯留室３６よりも絞られた流路を形成し且つ吐水口部４まで延びる絞り流路３８とを有している。
【００３０】
貯留室３６は、上昇管２６の下流端に接続されている。貯留室３６は、その内部が左右方向に延びて形成されている。貯留室３６は、上面視で、側壁３６ｅの前方側が左右方向に広がるように形成されている。貯留室３６の側壁３６ｅは、後方側から前方側に向かうにつれ徐々に前方向きに湾曲するように形成されている。貯留室３６は、左右方向に広がる流路を形成しており、貯留室３６において水を減速させ且つ一時的に貯留するとともに、水を左右方向に広げるようになっている。
【００３１】
貯留室３６には、上昇管２６の接続部と傾斜部４２との間にリブ４４が設けられている。このリブ４４は、上昇管２６の接続部の近傍に配置される。リブ４４は、天井面３６ｄから下方に突出する凸部を形成し且つ対向する底面３６ｂとの間の流路断面積を小さくするように形成されている。リブ４４は、貯留室３６の右側の側壁３６ｅから左側の側壁まで貯留室３６内を左右方向に横断するように形成される。なお、リブ４４が、側壁３６ｅの近傍領域においてのみ形成されていてもよい。
【００３２】
リブ４４により、流路断面積が小さくされ、貯留室３６に流入して減速された水流を再び加速させ、貯留室３６の側壁３６ｅに沿って流れる水が側壁３６ｅの湾曲面から剥離することにより渦流を形成することを抑制する。リブ４４と貯留室３６の底面３６ｂとの間の流路断面積が、左右方向にほぼ均一に狭くなっているので、水が左右方向においてほぼ均一に前方向きに加速される。リブ４４は、下流側の絞り流路３８に流入する水の流量を左右方向でほぼ均一にするような左右流量均一手段を形成している。
【００３３】
傾斜部４２は、貯留室３６と絞り流路３８との間の底面において、貯留室３６から絞り流路３８に向かって上昇する傾斜面を形成している。傾斜部４２は、左右方向に同じ形状で形成され、いずれの位置においても前後方向の長さ及び傾斜角度が一定に形成されている。傾斜部４２は、上下方向の流路断面積を、前方側に向かうにつれて徐々に小さくするように形成されている。よって、傾斜部４２は、水の流れを乱すことを抑制しながら徐々に加速させることができる。
【００３４】
貯留室３６との接続部分である傾斜部４２の上流端４２ａが、吐水口部４の左右端部分４ｂを結ぶ仮想線Ａと平行に延びるように形成されている。絞り流路３８との接続部分である傾斜部４２の下流端４２ｂ（及び絞り流路３８の入口３８ｂ）も、吐水口部４の左右端部分４ｂを結ぶ仮想線Ａと平行に延びるように形成されている。傾斜部４２の上流端４２ａから絞り流路３８の中央部分３８ｃを通り吐水口部４までの前後方向の長さＬ２は、上流端４２ａから絞り流路３８の左右端部分３８ｄを通り吐水口部４までの前後方向の長さＬ１よりも短く形成されている。
【００３５】
吐水口部４は、浴槽２の上端部２ｃ上で内側且つ水平向きの開口を形成し、左右方向に幅広の水流を浴槽内に座っている状態の使用者の首や肩方向に向けて吐水させる肩湯吐水を行うようになっている。吐水口部４は、上面視で、この吐水口部４の左右方向の中央部分４ａが左右端部分４ｂよりも後方に位置するように湾曲して形成されている。吐水口部４は、上面視で弧状の縦壁２ｂに沿うように弧状に形成されている。また、吐水口部４は、正面視で、長方形の開口を形成している。吐水口部４の開口の幅は、使用者の肩幅程度に形成され、その開口の高さは数ミリ程度に形成され、吐水口部４から膜状の吐水がなされるようになっている。
【００３６】
次に、図５乃至図９により、絞り流路３８について詳細に説明する。
絞り流路３８は、傾斜部４２と吐水口部４との間に形成されている。絞り流路３８は、流路の高さが貯留室３６及び傾斜部４２内の流路の高さよりも低く形成されている。さらに、絞り流路３８は、流入した水を加速させるように、貯留室３６の流路断面積及び傾斜部４２の流路断面積より小さい流路断面積を有する。絞り流路３８の底面３８ａは、ほぼ平坦に形成されている。絞り流路３８、傾斜部４２及び貯留室３６の底面には、水の残留を抑制する水抜き用の溝部４０が形成されている。
【００３７】
絞り流路３８は、上面視で、入口３８ｂが直線状に形成され、出口（吐水口部４）の左右方向の中央部分３８ｃが左右端部分３８ｄよりも後方に位置するように湾曲して形成されている。絞り流路３８は、中央部分３８ｃを通過する水の流速の低下を、中央部分３８ｃよりも左右端側の左右端部分３８ｄを通過する水の流速の低下よりも小さくさせる流速調整手段を備えている。絞り流路３８の流速調整手段は、絞り流路３８の中央部分３８ｃの長さＸ２を、左右端部分３８ｄの長さＸ１より短くすることにより形成される。長さＸ２は、中央部分３８ｃの入口３８ｂから吐水口部４までの長さである。長さＸ１は、左右端部分３８ｄの入口３８ｂから吐水口部４までの長さである。なお、絞り流路３８は、入口３８ｂから吐水口部４までの流路の高さＨ１を一定に形成している。さらに、絞り流路３８の流速調整手段においては、絞り流路３８の中央部分３８ｃから左右端部分３８ｄまでの流路の高さＨ１が一定に形成されている。これにより、流路の高さを変更することなく、中央部分３８ｃを通過する水の圧力損失を、左右端部分３８ｄを通過する水の圧力損失よりも小さくさせることができる。よって、吐水口部４の高さを中央部分３８ｃから左右端部分３８ｄまで一定の高さとすることで、幅広の膜状に吐出された水の膜厚が乱れてしまって吐出された膜状の水が左右に分断されてしまうことを抑制しながらも、吐水口部４の中央部分３８ｃから吐水される水の流速を、吐水口部４の左右端部分３８ｄから吐水される水の流速よりも大きくすることができる。なお、高さＨ１が一定には、中央部分３８ｃの高さと左右端部分３８ｄの高さとの差が所定範囲内となるほぼ一定の場合、例えば、中央部分３８ｃの高さが、左右端部分３８ｄの高さの９０％〜１１０％の高さとなる場合も含まれる。
【００３８】
図８に示すように、絞り流路３８の入口３８ｂは、長方形形状に形成され、中央部分３８ｃから左右端部分３８ｄまで流路の高さＨ１が一定に形成されている。また、図９に示すように、絞り流路３８の出口である吐水口部４も、正面視で長方形形状に形成され、中央部分３８ｃ（中央部分４ａ）から左右端部分３８ｄ（左右端部分４ｂ）まで流路の高さＨ２が一定に形成されている。吐水口部４の流路の高さＨ２は絞り流路３８の流路の高さＨ１よりもわずかに低く絞られている。なお、吐水口部４の流路の高さＨ２は絞り流路３８の流路の高さＨ１と同じにされてもよい。なお、高さＨ２が一定には、中央部分４ａの高さと左右端部分４ｂの高さとの差が所定範囲内となるほぼ一定の場合、例えば、中央部分４ａの高さが、左右端部分４ｂの高さの９０％〜１１０％の高さとなる場合も含まれる。
【００３９】
次に、図１０及び図１１により、浴槽用吐水装置１による吐水口部４からの吐水の動作（作用）を説明する。
使用者Ｈの操作部３０の操作により制御部２８はポンプ１０を駆動させる。ポンプ１０は、浴槽２内の水を第１流路８から吸引し、下流側の第２流路１４に圧送する。水は、第２流路１４からジェットノズル３４に供給され、ジェットノズル３４から噴射された湯水がジェットポンプ作用によりチャンバー部３２内の水を引き込みながら上昇管２６を上昇し、貯留室３６内に流入する。
【００４０】
図１０に示すように、上昇管２６から貯留室３６内に流入した水は、矢印Ｆ１に示すように、貯留室３６において減速されるとともに左右方向に広がるように流れる。この水は、側壁３６ｅの湾曲した面から剥離する等して渦流を形成する前に、リブ４４と底面３６ｂとの間に流入する。このとき、リブ４４と底面３６ｂとの間の流路断面積が、狭くなっているので、水が、矢印Ｆ２に示すように、加速される。Ｆ２はリブ４４の下部を流れるため点線により示す。このとき、リブ４４と底面３６ｂとの間の流路断面積は、左右方向においてほぼ均一に狭くなっているので、水が左右方向のいずれの位置においてもほぼ均一に加速される。このとき、リブ４４は各水流のベクトルを維持したまま加速させている。従って、水が加速されることにより、渦流を形成してしまうことを抑制することができるとともに、左右方向においてほぼ均一に整流された流れを形成することができる。
【００４１】
リブ４４を通過した水は、矢印Ｆ３に示すように、貯留室３６内で再減速されるとともにさらに左右方向に広がるように流れる。このとき、水は、渦流を形成してしまうほどに乱れることは抑制され、左右方向のいずれの位置においてもほぼ均一に整流された流れを維持することができる。
【００４２】
傾斜部４２は、流路断面積を、前方側に向かうにつれて徐々に小さくするように形成されている。よって、左右方向に広がった水は、矢印Ｆ４に示すように、傾斜部４２において再び徐々に加速される。また、貯留室３６と傾斜部４２との接続部分である傾斜部４２の上流端４２ａが、吐水口部４の左右端部分４ｂを結ぶ仮想線Ａと平行に延びるように形成されている。よって、水が乱れを抑制し且つ水流のベクトルを維持したまま上流端４２ａから傾斜部４２に流入される。従って、水が仮想線Ａに対して比較的均等に広がるように流れることができる。また、絞り流路３８と傾斜部４２との接続部分である傾斜部４２の下流端４２ｂ（及び絞り流路３８の入口３８ｂ）が、仮想線Ａと平行に延びるように形成されている。よって、水が乱れを抑制し且つ水流のベクトルを維持したまま下流端４２ｂから絞り流路３８に流入される。従って、水が仮想線Ａに対して比較的均等に広がるように流れることができる。よって、水の流れが、傾斜部４２において、乱されることを抑制しながら徐々に加速され、左右方向にほぼ均一に整流された流れを維持した状態で絞り流路３８に流入される。
本実施形態のような傾斜部４２の構造によれば、後述する比較例のように傾斜部４２の上流端４２ａや下流端４２ｂが吐水口部４の形状に対応して湾曲して形成されている場合のように湾曲した傾斜部４２に沿って水流のベクトルが曲がり左右均一な吐水が行えなくなることを防ぐことができる。
なお、「平行」には、絞り流路３８と傾斜部４２との接続部分が、仮想線Ａに対して比較的小さい角度範囲内で傾斜するほぼ平行な場合、例えば、絞り流路３８と傾斜部４２との接続部分が、仮想線Ａに対して−５度〜５度の角度で傾斜する場合も含まれる。同様に、「平行」には、貯留室３６と傾斜部４２との接続部分が、仮想線Ａに対して比較的小さい角度範囲内で傾斜するほぼ平行な場合、例えば、貯留室３６と傾斜部４２との接続部分が、仮想線Ａに対して−５度〜５度の角度で傾斜する場合も含まれる。
【００４３】
傾斜部４２から流入した水は、絞り流路３８においてさらに加速される。水は、矢印Ｆ５に示すように、絞り流路３８の入口３８ｂから、流入したときのほぼ均一に整流された流れ方向を維持した状態で吐水口部４まで流れる。このように絞り流路３８は、基本的には水を加速する機能を有するが、例えば底面３８ａ（図５参照）や天井面等の流路の壁面の抵抗による圧力損失により、絞り流路３８を通過する水は流速が所定量低下される。図６に示すように、絞り流路３８の流速調整手段により、絞り流路３８の中央部分３８ｃを通過する水の圧力損失を、左右端部分３８ｄを通過する水の圧力損失よりも小さくさせることができる。よって、中央部分３８ｃを通過する水の流速の低下が、左右端部分３８ｄを通過する水の流速の低下よりも小さくされている。よって、吐水口部４の中央部分４ａから吐水される水の流速を、左右端部分４ｂから吐水される水の流速よりも大きくすることができる。
【００４４】
図１０において矢印Ｆ６で示し、さらに、図１１にも示すように、吐水口部４から吐水された水は、ほぼ一定の幅及び厚みの安定した帯状（水膜状）の流水の流れとして空中に放物線を描いて下方に流下する。吐水口部４の中央部分４ａから吐水される水の飛距離は、吐水口部４の左右端部分４ｂから吐水される水の飛距離よりも大きくされる。よって、浴槽２内に座った姿勢の使用者Ｈの肩、背中等の上半身への着水範囲Ｂは左右方向に直線状に形成された範囲となる。着水範囲Ｂは左右方向においてほぼ同じ高さとなり、左右方向において比較的均一となる。使用者Ｈに対して線状の吐水がなされるため、吐水された水を使用者Ｈに効率的に着水させることができ、また使用者Ｈに比較的均一な浴び心地を与えることができ、使用者Ｈの浴び心地を向上させることができる。
【００４５】
上述した本発明の実施形態による浴槽用吐水装置１によれば、絞り流路３８は、絞り流路３８の中央部分３８ｃを通過する水の流速の低下を、左右端部分３８ｄを通過する水の流速の低下よりも小さくさせるような流速調整手段を備えているので、吐水口部４の中央部分４ａから吐水される水の流速を、吐水口部４の左右端部分４ｂから吐水される水の流速よりも大きくすることができる。よって、吐水口部４の中央部分４ａから吐水される水を、左右端部分４ｂから吐水される水よりも前方の位置に吐水することができる。従って、本発明によれば、吐水口部４の開口部分の中央部分４ａが左右端部分４ｂよりも後方に位置するように吐水口部４が湾曲して形成されていても、使用者の肩付近に向けて吐水される水流の吐水形状が湾曲されにくく且つ線状にされることができ、使用者の浴び心地を向上させることができる。
また、本発明によれば、貯留室３６に流入した水は貯留室３６において左右方向に広げられた後に、流速調整手段を備える絞り流路３８を通過する。これにより、左右方向に幅広の吐水の水流が形成されやすくなると共にこの水流の吐水形状が湾曲されにくく且つ線状にされることができ、使用者の浴び心地を向上させることができる。
【００４６】
また、本発明の実施形態による浴槽用吐水装置１によれば、絞り流路３８の流速調整手段は、絞り流路３８の中央部分３８ｃの前後方向の長さＸ２を、左右端部分３８ｄの前後方向の長さＸ１より短くすることにより形成される。これにより、絞り流路３８の中央部分３８ｃを通過する水の圧力損失を、左右端部分３８ｄを通過する水の圧力損失よりも小さくさせることができる。よって、吐水口部４の中央部分４ａから吐水される水の流速を、吐水口部４の左右端部分４ｂから吐水される水の流速よりも大きくすることができる。従って、本発明によれば、吐水口部４の開口部分の中央部分４ａが左右端部分４ｂよりも後方に位置するように吐水口部４が湾曲して形成されていても、比較的簡単な構成により、使用者の肩付近に向けて吐水される水流の吐水形状が湾曲されにくくすることができる。
【００４７】
さらに、本発明の実施形態による浴槽用吐水装置１によれば、吐水口部４は、中央部分４ａから左右端部分４ｂまでの流路の高さを一定にすることにより形成される。これにより、吐水口部４の中央部分４ａを通過する水の圧力損失を、左右端部分４ｂを通過する水の圧力損失よりも小さくさせることができる。よって、本発明によれば、吐水口部４の高さを中央部分４ａから左右端部分４ｂまで一定の高さすることで、幅広の膜状に吐出された水の膜厚が乱れてしまって吐出された膜状の水が左右に分断されてしまうことを抑制しながらも、吐水口部４の中央部分４ａから吐水される水の流速を、吐水口部４の左右端部分４ｂから吐水される水の流速よりも大きくすることができる。
【００４８】
さらに、本発明の実施形態による浴槽用吐水装置１によれば、傾斜部４２は、絞り流路３８に向かう水が加速され且つ乱流を発生させることを抑制する。さらに、この傾斜部４２と絞り流路３８との接続部分が、吐水口部４の左右端部分４ｂを結ぶ仮想線Ａと平行に延びるように形成されている。従って、絞り流路３８に、中央部分３８ｃを通過する水の流速の低下を、左右端部分３８ｄを通過する水の流速の低下よりも小さくさせるような流速調整手段が形成されている場合においても、傾斜部４２から絞り流路３８に流入する水が、仮想線Ａに対して比較的均等に広がるように流れることができる。よって、本発明によれば、傾斜部４２から絞り流路３８に流れる水が、水の流速の低下が小さい中央部分３８ｃの流れに引かれて、縮流を生じさせてしまうことを抑制できる。これにより、使用者Ｈの肩付近に向けて吐水される水流の吐水形状が乱れることを抑制できる。
【００４９】
さらに、本発明の実施形態による浴槽用吐水装置１によれば、傾斜部４２によって、絞り流路３８に向かう水が加速され且つ乱流を発生させることを抑制する。さらに、貯留室３６と傾斜部４２との接続部分が、吐水口部４の左右端部分４ｂを結ぶ仮想線Ａと平行に延びるように形成されている。従って、絞り流路３８に、中央部分３８ｃを通過する水の流速の低下を、左右端部分３８ｄを通過する水の流速の低下よりも小さくさせるような流速調整手段が形成されている場合においても、貯留室３６から傾斜部４２に流れる水が、仮想線Ａに対して比較的均等に広がるように流れることができる。よって、本発明によれば、傾斜部４２から絞り流路３８に流入する水が、比較的均等に広がるように流れ、水の流速の低下が小さい中央部分３８ｃの流れに引かれて、縮流を生じさせてしまうことを抑制できる。これにより、使用者Ｈの肩付近に向けて吐水される水流の吐水形状が乱れることを抑制できる。
【００５０】
図１２は、本発明の実施形態による枕部を示す断面図である。
図１２に示すように、枕部８の上面は、鉛直面に対して第１傾斜角度（２０度）より大きい第２傾斜角度、例えば４５度の傾斜角度で浴槽２の内方側に向かって下降傾斜した下降傾斜面Ｐを有している。なお、この第２傾斜角度は、枕部８の上面のうち、最も浴槽２の内方側に位置している部分の接線の角度である。そして、当該下降傾斜面Ｐを仮想的に下方に延伸させた仮想延伸面Ｌ１が背凭れ部７に対して段差なく接続されるよう凸状の曲面を呈するよう形成されている。
なお、本発明において、「仮想延伸面Ｌ１が背凭れ部７に対して段差なく」とは、例えば、仮想延伸面Ｌ１と背凭れ部７との間に生じる段差の大きさが１０ｍｍ以内であって、仮想延伸面Ｌ１の傾斜角度と背凭れ部７の上部の傾斜角度との角度差が、１０度以内であるものも、定義に含まれるものとする。
【００５１】
図１３は、本発明の実施形態による浴槽装置に入浴している入浴者を示す概略断面図である。図１４は、本発明の比較例である浴槽装置に入浴している入浴者を示す概略断面図である。
図１４に示すように、比較例であると、枕部８の下降傾斜面Ｐを仮想的に下方に延伸させた仮想延伸面Ｌ２が背凭れ部７に対して段差なく接続されていないため、入浴姿勢にある入浴者の上体が、設計者の狙った箇所に位置していない。すなわち、入浴姿勢にある入浴者は、リラックスのために脱力すると、仮想延伸面Ｌ２に沿った位置に背中（身体の軸）が位置することになるため、上体が後方へ倒れ込んだ体勢で入浴することになってしまう。その結果、背中が背凭れ部７から離れてしまい、入浴者の頭の位置や体躯によって、吐水口部４から吐出された湯水が当たる位置がバラバラになってしまう。なお、図１４で示す矢印が、吐水口部４から吐出された湯水を表している。図１４の比較例でいうと、入浴姿勢にある入浴者の背中側（後ろ側）に、吐水口部４から吐出された湯水の多くが流れてしまい、入浴姿勢にある入浴者の胸側（前側）にはあまり湯水が流れないことになってしまう。このことより、比較例であると、浴槽２内の湯に浸かっていない上半身の全体を温めることは難しい。
【００５２】
一方で、図１３に示すように、本発明の実施形態による浴槽装置３においては、枕部８の下降傾斜面Ｐを仮想的に下方に延伸させた仮想延伸面Ｌ１が背凭れ部７に対して段差なく接続されている。したがって、入浴姿勢にある入浴者がリラックスのために脱力した際にも、背中が自然と背凭れ部７にフィットすることになる。その結果、吐水口部４から吐出された湯水が入浴者の前側と後ろ側の両側に広がりやすくなる。なお、図１３で示す矢印が、吐水口部４から吐出された湯水を表している。
【００５３】
また、図３で示すように、背凭れ部７は、背凭れ部７と直交する鉛直断面において凹状の曲面Ｓを呈するよう形成されている。すなわち、背凭れ部７は、高さ方向において、部分的に後方へ湾曲している凹状の曲面Ｓを有する。このことにより、入浴者の湾曲している背骨が点状ではなく面状に当接しやすくなるため、入浴者が背中を背凭れ部７に当てた際に痛みを感じにくくすることができる。よって、入浴者が背中を背凭れ部７から意識的に離して所望の入浴姿勢から外れることを防止できる。
【００５４】
また、図２で示すように、背凭れ部７は、水平断面において、幅方向における中央部分が浴槽２の外方位置となり、幅方向における両端部分が浴槽２の内方位置となるよう凹状の曲面Ｍを呈するよう形成されている。言い換えると、背凭れ部７は、幅方向における中央部分が、左右端部分より、後方に位置するように湾曲する凹状の曲面Ｍを有する。これにより、入浴者の背中を背凭れ部７によりフィットさせることができる。これにより、入浴者の入浴姿勢をより所望の姿勢に規定することができる。
【００５５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽装置３や浴槽用吐水装置１などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５６】
１            浴槽用吐水装置（浴槽水循環型吐水装置）
２            浴槽
３            浴槽装置
４            吐水口部（吐水口）
５            吐水部
７            背凭れ部
８            枕部
９            検出部
１０          給水部
３６            貯留室
３８            絞り流路
３８ｃ            中央部分
３８ｄ            左右端部分
４２            傾斜部
４２ａ            上流端
４２ｂ            下流端
【図１】
2019170463.tif 000003
【図２】
2019170463.tif 000004
【図３】
2019170463.tif 000005
【図４】
2019170463.tif 000006
【図５】
2019170463.tif 000007
【図６】
2019170463.tif 000008
【図７】
2019170463.tif 000009
【図８】
2019170463.tif 000010
【図９】
2019170463.tif 000011
【図１０】
2019170463.tif 000012
【図１１】
2019170463.tif 000013
【図１２】
2019170463.tif 000014
【図１３】
2019170463.tif 000015
【図１４】
2019170463.tif 000016